(57)【要約】      （修正有）【課題】収納時にコンパクトに折り畳むことができると共に、組立作業を容易に行うことができる組立式個室を提供する。【解決手段】組立式個室は、１枚のダンボール板で構成され、折り目を介して連続する左右側壁１０、１１及び後壁１２により前方が開口した平面視略コの字状をなす本体部材２と、本体部材２の左右側壁１０、１１の上端との係合により当該上端間に架設される天板部１５を有する上部材３とを備えている。本体部材２は、左右側壁下部１０ｂ、１１ｂ及び後壁下部からなる本体下部と、左右側壁下部１０ｂ、１１ｂの上端に折り目２２を介して連接しかつ当該折り目２２により別々に起立可能な左右側壁上部１０ａ、１１ａを含む本体上部とを有する。上部材３は、左右側壁上部１０ａ、１１ａの上端間に架設されて左右側壁上部１０ａ、１１ａを起立状態に保持する。【選択図】図７
2014125826.tif 000002
【特許請求の範囲】
【請求項１】
１枚のダンボール板で構成され、折り目を介して連続する左右側壁及び後壁により前方が開口した平面視コの字状をなす本体部材と、
前記本体部材の左右側壁の上端との係合により当該上端間に架設される上部材とを備えており、
前記本体部材は、左右側壁下部及び後壁下部からなる本体下部と、前記左右側壁下部の上端に折り目を介して連接しかつ当該折り目により別々に起立可能な左右側壁上部を含む本体上部とを有し、
前記上部材は、前記左右側壁上部の上端間に架設されて前記左右側壁上部を起立状態に保持することを特徴とする組立式個室。
【請求項２】
前記上部材は、前記左右側壁上部の上端間に架設される天板部と、当該天板部の後端に折り目を介して連接され、前記左右側壁上部の後端間を覆う後板部とを有することを特徴とする請求項１に記載の組立式個室。
【請求項３】
前記本体上部は、前記左右側壁上部の後端間を覆う後壁上部を有し、
前記後壁上部は、前記後壁下部の上端に折り目を介して連接され、前記左右側壁上部とは別々に起立可能に設けられたことを特徴とする請求項１に記載の組立式個室。
【請求項４】
前記本体上部は、前記左右側壁上部の後端間を覆う後壁上部を有し、
前記後壁上部は、前記左右側壁上部の少なくともいずれか一方の後端に折り目を介して連接されていることを特徴とする請求項１に記載の組立式個室。
【請求項５】
前記本体上部は、前記左右側壁上部の後端間を覆う後壁上部を有し、
前記後壁上部は、前記左右側壁上部の少なくともいずれか一方の後端に折り目を介して連接された側壁延長部と、前記後壁下部の上端に折り目を介して連接された後壁延長部とからなることを特徴とする請求項１に記載の組立式個室。
【請求項６】
前記上部材は、前記左右側壁上部の上端間に架設される天板部と、当該天板部の後端に折り目を介して連接され、少なくとも前記後壁上部と連結して当該後壁上部を保持する連結部とを有することを特徴とする請求項３〜５のいずれか１項に記載の組立式個室。
【請求項７】
前記上部材は、１枚のダンボール板で構成されていることを特徴とする請求項１、２または６のいずれか１項に記載の組立式個室。
【請求項８】
前記本体下部と前記本体上部は、高さ寸法が略同じであることを特徴とする請求項１または請求項３〜５のいずれか１項に記載の組立式個室。
【請求項９】
請求項１に記載の組立式個室の組立方法であって、
前記左右側壁上部が前記左右側壁下部と対向するように前記折り目に沿って折り曲げられた状態で、前記本体下部を平面視略コの字状にして床面に設置する第１工程と、
前記左右側壁上部を、前記折り目により起立させる第２工程と、
前記左右側壁上部の前記上端間に、前記天板部を架設する第３工程と、
を有することを特徴とする組立式個室の組立方法。
【発明の詳細な説明】
【技術分野】
【０００１】
本考案は、１枚のダンボール板からなる平面視コの字状の本体部材を有する組立式個室に関する。
【背景技術】
【０００２】
従来から、例えば災害時の共同避難場所などにおいて、更衣所やトイレなどのプライバシー空間を確保するための臨時設備として、ダンボール板を用いた組立式個室が用いられている。組立式個室としては、１枚のダンボール板をコの字状に折り曲げることで、３枚の側壁を構成したものがある（例えば特許文献１参照）。
【先行技術文献】
【特許文献】
【０００３】
【特許文献１】実用新案登録第３１４９４７３号公報
【発明の概要】
【発明が解決しようとする課題】
【０００４】
組立式個室は、倉庫などの限られた収納スペースに備蓄するために、コンパクトに折り畳んで収納できるものが求められている。上述したように３枚の側壁が１枚のダンボール板で構成されている場合、側壁の境界で折り曲げて折り畳むだけでは長いため、側壁の長手方向（組立時に上下方向となる方向）の中央部でも折り曲げることが考えられる。但し、ダンボール板を、側壁の境界で折り曲げてから、長手方向中央部で折り曲げた場合、最後に折り曲げる厚さが厚くなり過ぎるため、図１７に示すように、ダンボール板９０を、側壁の長手方向中央部９０ｂで折り曲げてから、側壁の境界９０ａで折り曲げることが好ましい。
【０００５】
しかしながら、この折り畳み方の場合、組立時に、側壁の境界９０ａにおいて折れ曲がった状態のまま、長手方向中央部９０ｂにおける折り曲げを戻すことができないため、図１８に示すように、ダンボール板９０の折り曲げ部分を全て展開してから、ダンボール板９０を側壁の境界９０ａで折り曲げてコの字状にする必要があり、組立作業性が悪くなる。
【０００６】
そこで、本発明は、収納時にコンパクトに折り畳むことができると共に、組立作業を容易に行うことができる組立式個室を提供することを目的とする。
【課題を解決するための手段及び発明の効果】
【０００７】
第１の発明に係る組立式個室は、１枚のダンボール板で構成され、折り目を介して連続する左右側壁及び後壁により前方が開口した平面視コの字状をなす本体部材と、前記本体部材の左右側壁の上端との係合により当該上端間に架設される上部材とを備えており、前記本体部材は、左右側壁下部及び後壁下部からなる本体下部と、前記左右側壁下部の上端に折り目を介して連接しかつ当該折り目により別々に起立可能な左右側壁上部を含む本体上部とを有し、前記上部材は、前記左右側壁上部の上端間に架設されて前記左右側壁上部を起立状態に保持することを特徴とする。
【０００８】
この構成によると、本体部材は、左右側壁と後壁を折り目で折り曲げると共に、本体下部と本体上部を折り目で折り曲げることで、コンパクトに折り畳んで収納することができる。
また、本体部材は、折り目を介して連続する左右側壁下部及び後壁下部からなる本体下部と、前記左右側壁下部の上端に折り目を介して連接しかつ当該折り目により別々に起立可能な左右側壁上部を含む本体上部とを有するため、本体下部がコの字状に折り曲げられていても、左右側壁上部を、別々に折り目で折り曲げることができる。そのため、組立式個室を組み立てる際に、左右側壁上部が左右側壁下部と対向するように折り曲げられ、本体下部がコの字状に折り曲げられて床面に設置された状態から、左右側壁上部を折り目により別々に起立させることができる。したがって、組立作業を容易に行うことができる。なお、本明細書において、「折り目により起立させる」とは、折り目を介して連接する２面が平行な状態となるように、一方の面を他方の面に対して折り目を中心に回転させることである。つまり、平坦状の部材を２つ折りにする場合と、２つ折り状態から平坦状にする場合のいずれも「起立させる」に相当する。
【０００９】
第２の発明に係る組立式個室は、第１の発明において、前記上部材は、前記左右側壁上部の上端間に架設される天板部と、当該天板部の後端に折り目を介して連接され、前記左右側壁上部の後端間を覆う後板部とを有することを特徴とする。
【００１０】
この構成によると、上部材の後板部は、天板部の後端に折り目を介して連接されているため、組立時に、天板部を左右側壁上部の上端間に架設することで、後板部を後壁下部に沿って配置できる。したがって、後板部と天板部とが別々の部材で構成されている場合に比べて、組立作業を容易に行うことができる。
また、後板部によって左右側壁上部の後端間が覆われるため、後壁の上側に切欠きを設けても、組立式個室の後面を塞ぐことができる。後壁の上側に切欠きを設けた場合、本体部材の重量が軽くなるため、組立作業を容易に行うことができる。
【００１１】
第３の発明に係る組立式個室は、第１の発明において、前記本体上部は、前記左右側壁上部の後端間を覆う後壁上部を有し、前記後壁上部は、前記後壁下部の上端に折り目を介して連接され、前記左右側壁上部とは別々に起立可能に設けられたことを特徴とする。
【００１２】
この構成によると、後壁上部は、後壁下部の上端に折り目を介して連接され、左右側壁上部とは別々に起立可能であるため、後壁上部が左右側壁上部に折り目を介して連接されている場合に比べて、組立時に、左右側壁上部を折り目により起立させる動作が行いやすい。
【００１３】
第４の発明に係る組立式個室は、第１の発明において、前記本体上部は、前記左右側壁上部の後端間を覆う後壁上部を有し、前記後壁上部は、前記左右側壁上部の少なくともいずれか一方の後端に折り目を介して連接されていることを特徴とする。
【００１４】
この構成によると、後壁上部は、左右側壁上部の少なくともいずれか一方の後端に折り目を介して連接されているため、組立時に、後壁上部を連接されている側壁に対して直角に折り曲げることで後壁上部を後壁下部に沿って配置でき、組立作業を容易に行うことができる。
【００１５】
第５の発明に係る組立式個室は、第１の発明において、前記本体上部は、前記左右側壁上部の後端間を覆う後壁上部を有し、前記後壁上部は、前記左右側壁上部の少なくともいずれか一方の後端に折り目を介して連接された側壁延長部と、前記後壁下部の上端に折り目を介して連接された後壁延長部とからなることを特徴とする。
【００１６】
この構成によると、後壁上部は、左右側壁上部の後端に折り目を介して連接された側壁延長部と、後壁下部の上端に折り目を介して連接された後壁延長部とからなるため、後壁上部が側壁延長部だけで形成されている場合に比べて、側壁延長部の面積と重量を低減できる。そのため、組立時に、左右側壁上部を折り目により起立させる動作が行いやすい。
【００１７】
第６の発明に係る組立式個室は、第３〜第５の発明のいずれかにおいて、前記上部材は、前記左右側壁上部の上端間に架設される天板部と、該天板部の後端に折り目を介して連接され、少なくとも前記後壁上部と連結して当該後壁上部を保持する連結部とを有することを特徴とする。
【００１８】
この構成によると、上部材の連結部は、天板部の後端に折り目を介して連接されているため、連結部を後壁上部と連結することで、後壁上部を後壁下部に沿うように保持できる。
また、連結部は、天板部の後端から下方に延びているため、組立時に、天板部を左右側壁の上端に架設することで、連結部を後壁下部に沿って配置でき、連結部を後壁に連結しやすい。したがって、連結部と上部材とが別々の部材で構成されている場合に比べて、組立作業を容易に行うことができる。
【００１９】
第７の発明に係る組立式個室は、第１、第２〜第６の発明のいずれかにおいて、前記上部材は、１枚のダンボール板で構成されていることを特徴とする。
【００２０】
この構成によると、上部材が１枚のダンボール板を折り曲げることで形成されているため、上部材を作製しやすい。
【００２１】
第８の発明に係る組立式個室は、第１、第３〜第５の発明のいずれかにおいて、前記本体下部と前記本体上部は、高さ寸法が略同じであることを特徴とする。
【００２２】
この構成によると、本体下部と本体上部の高さ寸法が略同じであることで、本体部材は、高さ寸法において略半分に折り畳むことができ、本体部材をよりコンパクトに折り畳んで収納することができる。
【００２３】
第９の発明に係る組立式個室の組立方法は、第１の発明に係る組立式個室の組立方法であって、前記左右側壁上部が前記左右側壁下部と対向するように前記折り目に沿って折り曲げられた状態で、前記本体下部を平面視略コの字状にして床面に設置する第１工程と、前記左右側壁上部を、前記折り目により起立させる第２工程と、前記左右側壁上部の前記上端間に、前記天板部を架設する第３工程と、を有することを特徴とする。
【００２４】
この構成によると、本体下部をコの字状にして床面に自立させた状態で、左右側壁上部を折り目により起立させるため、組立作業が行いやすい。
なお、第２工程と第３工程は、同時に行ってもよい。つまり、左右側壁上部の一方を折り目により起立させた後、この側壁上部の上端に上部材を係合させてから、左右側壁上部の他方を折り目により起立させて、上部材を係合させてもよい。
【図面の簡単な説明】
【００２５】
【図１】本発明の第１実施形態に係る組立式個室の斜視図である。
【図２】組立式個室を後方から見た斜視図である。
【図３】本体部材の展開図である。
【図４】上部材の展開図である。
【図５】本体部材および上部材の収納状態を示す斜視図である。
【図６】補強部とカーテンレールの部分拡大図である。
【図７】上部材を本体部材から取り外した状態の斜視図である。
【図８】本体部材を展開状態から収納状態にする途中の斜視図である。
【図９】収納状態の本体部材の斜視図である。
【図１０】本体部材を組み立てる途中の斜視図である。
【図１１】本発明の第２実施形態に係る組立式個室の斜視図であって、（ａ）は上部材を本体部材から取り外した状態を示し、（ｂ）は上部材を本体部材に取り付けた状態を示している。
【図１２】本発明の第３実施形態に係る組立式個室の斜視図であって、（ａ）は上部材を本体部材から取り外した状態を示し、（ｂ）は上部材を本体部材に取り付けた状態を示している。
【図１３】本発明の第４実施形態に係る組立式個室の斜視図であって、（ａ）は上部材を本体部材から取り外した状態を示し、（ｂ）は上部材を本体部材に取り付けた状態を示している。
【図１４】本発明の第５実施形態に係る組立式個室の斜視図であって、（ａ）は上部材を本体部材から取り外した状態を示し、（ｂ）は上部材を本体部材に取り付けた状態を示している。
【図１５】本発明の第６実施形態に係る組立式個室の斜視図であって、（ａ）は上部材を本体部材から取り外した状態を示し、（ｂ）は上部材を本体部材に取り付けた状態を示している。
【図１６】本発明の他の実施形態に係る組立式個室の斜視図であって、（ａ）は上部材を本体部材から取り外した状態を示し、（ｂ）は上部材を本体部材に取り付けた状態を示している。
【図１７】従来の組立式個室の側壁部分となるダンボール板を折り畳む手順を示す図である。
【図１８】図１７に示すダンボール板を折り畳んだ状態から組み立てる手順を示す図である。
【発明を実施するための形態】
【００２６】
＜第１実施形態＞
以下、本発明の第１実施形態について説明する。
図１に示すように、本実施形態の組立式個室１は、紙製またはプラスチック製のダンボール板で形成された本体部材２及び上部材３と、カーテン５が吊り下げられるカーテンレール４とを備えている。組立式個室１は、例えば、災害時の避難場所に設置されて、更衣室として使用される。以下、図１に示す前後左右方向を用いて、組立式個室１について説明する。
【００２７】
図１および図２に示すように、本体部材２は、左側壁１０と、右側壁１１と、後壁１２と、カーテンレール４を支持する２つの補強部１３とを備える。また、上部材３は、左右側壁１０、１１の上端に架設される天板部１５と、後壁１２の後方に配置される連結部１６とを備える。本体部材２は、図３に示す１枚のダンボール板を折り曲げることで形成されており、上部材３は、図４に示す１枚のダンボール板を折り曲げることで形成されている。また、図５に示すように、本体部材２および上部材３は、使用しないときには、板状に折り畳まれて収納ケース７に収納される。本体部材２および上部材３について、図１に示す状態を組立状態と称し、図３および図４に示す状態を展開状態と称し、図５に示す状態を収納状態と称する。
【００２８】
左右側壁１０、１１と後壁１２は、縦折り目２０を介して連接されている。組立状態において、本体部材２は縦折り目２０において直角に折り曲げられて、平面視コの字状をなしている。左右側壁１０、１１は、略矩形状の板状であって、その上端には、天板部１５を取り付けるためのスリット２１が形成されている。また、左右側壁１０、１１の上下方向中央部には、横方向に延びる横折り目２２が形成されている。この横折り目２２は、収納状態に折り畳む際に使用されるものであって、組立状態では使用されない。
【００２９】
左側壁１０の横折り目２２よりも上側の部分を左側壁上部１０ａと称し、左側壁１０の横折り目２２より下側の部分を左側壁下部１０ｂと称する。また、右側壁１１の横折り目２２よりも上側の部分を右側壁上部１１ａと称し、右側壁１１の横折り目２２より下側の部分を右側壁下部１１ｂと称する。また、後壁１２の横折り目２２よりも上側の部分を後壁上部１２ａと称し、後壁１２の横折り目２２より下側の部分を後壁下部１２ｂと称する。
【００３０】
２つの補強部１３は、左右側壁１０、１１の前端部にそれぞれ接続されている。補強部１３は、組立状態および収納状態において矩形筒状である。補強部１３は、展開状態の本体部材２の端部を４つの折り目２３ａ〜２３ｄ（図３参照）に沿って折り曲げることで形成されている。組立状態において、補強部１３は、本体部材２の内側に配置されている。また、補強部１３の上下方向中央部には、切れ目２４が形成されており、補強部１３は上下に２分割されている。
【００３１】
補強部１３の左右側壁１０、１１と接する面には、４つの連結孔２５（図３参照）が形成されている。また、左右側壁１０、１１の連結孔２５に対応する位置には、連結孔２６（図３参照）が形成されている。組立状態および収納状態において、連結孔２５、２６には連結具６が取り付けられ、この連結具６によって補強部１３と左右側壁１０、１１とは連結される。
【００３２】
組立状態において、補強部１３の左右側壁１０、１１と接する面の上端部（図３中の折り目２７よりも上方の部分）は、補強部１３の内側に向かって折り曲げられており、その先端が補強部１３の対向する面に接触または近接している。これにより、補強部１３の上端部は、力を受けても角部を直角に保持できる。
【００３３】
また、２つの補強部１３の対向する面の上端には、それぞれ、上下方向に延びる２本の切れ目２８（図３参照）が形成されている。図６に示すように、組立状態では、２本の切れ目２８の間の部分は、補強部１３の内側に向かって折り曲げられており、これにより、溝部２９が形成されている。この溝部２９に、カーテンレール４が支持される。
【００３４】
図３および図７に示すように、後壁上部１２ａの左右方向中央部には、矩形状の縦切欠き３０が形成されている。縦切欠き３０は、後壁上部１２ａの上下方向全域にわたって形成されている。後壁上部１２ａは、左側壁上部１０ａに縦折り目２０を介して連接された矩形部１２ａ１と、右側壁上部１１ａに縦折り目２０を介して連接された矩形部１２ａ２とからなる。また、後壁上部１２ａ（矩形部１２ａ１、１２ａ２）と後壁下部１２ｂとの間には、横切込み３１が形成されている。
【００３５】
後壁１２に縦切欠き３０と横切込み３１が形成されていることにより、左右側壁１０、１１の上端に天板部１５が架設されていない状態において、左右側壁上部１０ａ、１１ａは別々に起立可能となっている。つまり、左右側壁上部１０ａ、１１ａを、別々に、横折り目２２を中心に回転させることができる。
【００３６】
後壁１２には４つの連結孔３２が形成されている。４つの連結孔３２のうちの２つは、矩形部１２ａ１、１２ａ２にそれぞれ形成されており、残りの２つは後壁下部１２ｂに形成されている。
【００３７】
上部材３の天板部１５は、略矩形状の板状であって、本体部材２の上方に配置される。天板部１５の左右方向長さは、後壁１２の左右方向長さよりも若干長い。また、天板部１５の前後方向長さは、本体部材２の前後方向長さよりも短く、天板部１５は、本体部材２の後側寄りに配置される。
【００３８】
天板部１５の前端の左右両端には、突出部１７が形成されている。組立状態では、突出部１７は、その基部（折り目４１）で折り曲げられて、下方に突出している。また、突出部１７には、スリット４２が形成されている。突出部１７のスリット４２と左右側壁１０、１１のスリット２１とを係合させることで、天板部１５は左右側壁１０、１１に取り付けられる。天板部１５が左右側壁１０、１１の上端に架設されることで、左右側壁上部１０ａ、１１ａは起立状態（横折り目２２で折れ曲がっていない状態）に保持されている。
【００３９】
連結部１６は、略矩形状の板状であって、天板部１５の後端に折り目４０を介して連接されている。組立状態において、上部材３は、折り目４０において直角に折り曲げられており、連結部１６は、天板部１５の後端から下方に延びている。連結部１６は、本体部材２の後壁１２の後方に配置される。
【００４０】
図２に示すように、連結部１６の左右方向長さは、天板部１５の左右方向長さより若干短く、後壁１２の左右方向長さとほぼ同じである。また、連結部１６の上下方向長さは、後壁上部１２ａの上下方向長さよりも長く、組立状態において、連結部１６の下端は横切込み３１の下方に配置される。そのため、連結部１６は、左右側壁上部１０ａ、１１ａの後端間を覆っており、本発明の後板部を兼ねている。
【００４１】
連結部１６は、後壁１２の４つの連結孔３２と対向する位置に、連結孔４３が形成されている。連結孔３２、４３に取り付けられる連結具６によって、連結部１６と後壁１２とは連結される。また、連結部１６の上下方向略中央部には、折り目４４が形成されている。この折り目４４は、収納状態に折り畳む際に使用されるものであって、組立状態では使用されない。
【００４２】
図１に示すように、カーテンレール４は、棒部材４ａと、棒部材４ａの両端部に取り付けられたＴ字状の端末具４ｂとで構成されている。端末具４ｂのうち棒部材４ａと同一方向に延びる部分（または棒部材４ａの端部）は、補強部１３の溝部２９に配置される。また、端末具４ｂのうち棒部材４ａと直交する方向に延びる部分は、補強部１３の内側に配置される。そのため、カーテンレール４が溝部２９から抜け出るのを防止できる。棒部材４ａには、カーテン５が移動可能に吊り下げられており、本体部材２の前方の開口はカーテン５により開閉される。
【００４３】
次に、本体部材２を展開状態から収納状態に折り畳む手順について説明する。
まず、本体部材２を折り目２３ａ〜２３ｄに沿って折り曲げて、矩形筒状の補強部１３を形成した後、連結孔２５、２６に連結具６を挿入して、左右側壁１０、１１と補強部１３とを連結具６によって連結する。その後、補強部１３の端部を折り目２７に沿って折り曲げてから、２本の切れ目２８の間の部分を折り曲げて溝部２９を形成する。
【００４４】
次に、矩形部１２ａ１と左側壁上部１０ａの内側の面同士が接するように、矩形部１２ａ１を縦折り目２０で折り曲げる。なお、「内側の面」とは、組立状態における本体部材２の内側の面のことである。また、矩形部１２ａ２も同様に折り曲げる。続いて、図８に示すように、左側壁上部１０ａと左側壁下部１０ｂの外側の面同士が接するように、左側壁１０を横折り目２２において折り曲げる。なお、「外側の面」とは、組立状態における本体部材２の外側の面のことである。右側壁１１も同様に横折り目２２において折り曲げる。
【００４５】
次に、図９に示すように、本体部材２がＺ字状に折り畳まれるように、縦折り目２０に沿って折り曲げる。図９では、右側壁下部１１ｂと後壁下部１２ｂの内側の面同士が対向し、左側壁下部１０ｂと後壁下部１２ｂの外側の面同士が（右側壁上部１１ａを挟んで）対向するように折り曲げられているが、折り曲げ方向は逆であってもよい。
【００４６】
また、上部材３を展開状態から収納状態に折り畳む際には、折り目４０と折り目４４に沿って折り曲げてＺ字状に折り畳む。
【００４７】
次に、組立式個室１を収納状態から組立状態に組み立てる手順について説明する。
まず、図１０に示すように、本体下部（左側壁下部１０ｂと後壁下部１２ｂと右側壁下部１１ｂ）が略コの字状をなすように、縦折り目２０における折り曲げ角度を変えて、本体部材２を床面に自立させる。図９のように、収納状態において、右側壁下部１１ｂと後壁下部１２ｂの内側の面同士が対向し、左側壁下部１０ｂと後壁下部１２ｂの外側の面同士が（右側壁上部１１ａを挟んで）対向するように折り曲げられている場合には、右側壁下部１１ｂを後壁下部１２ｂに対して縦折り目２０を中心に９０°回転させると共に、左側壁下部１０ｂを後壁下部１２ｂに対して縦折り目２０を中心に２７０°回転させる。
【００４８】
次に、左側壁上部１０ａと右側壁上部１１ａを横折り目２２により別々に起立させる。その後、矩形部１２ａ１を、縦折り目２０を中心に回転させて、矩形部１２ａ１を後壁下部１２ｂの上方に配置する。矩形部１２ａ２も同様に回転させて後壁下部１２ｂの上方に配置する。これにより、本体部材２は図７に示す状態となる。
【００４９】
次に、天板部１５を突出部１７の基部（折り目４１）で直角に折り曲げた後、左右側壁１０、１１の上端のスリット２１に突出部１７のスリット４２を係合させる。その後、連結部１６の連結孔４３と後壁１２の連結孔３２に連結具６を挿入して、連結部１６と後壁１２とを連結具６によって連結する。最後に、カーテン５が取り付けられたカーテンレール４を補強部１３の溝部２９に配置する。以上により、組立式個室１の組立が完了する。
【００５０】
本実施形態の組立式個室１によると、本体部材２は、左右側壁１０、１１と後壁１２を縦折り目２０で折り曲げると共に、左右側壁上部１０ａ、１１ａと左右側壁下部１０ｂ、１１ｂを横折り目２２で折り曲げることで、コンパクトに折り畳んで収納することができる。
【００５１】
また、左右側壁下部１０ｂ、１１ｂと後壁下部１２ｂとは縦折り目２０を介して連接されており、左右側壁下部１０ｂ、１１ｂの上端に横折り目２２を介して連接された左右側壁上部１０ａ、１１ａは、横折り目２２により別々に起立可能となっているため、本体下部（１０ｂ、１１ｂ、１２ｂ）がコの字状に折り曲げられていても、左右側壁上部１０ａ、１１ｂを、別々に横折り目２２で折り曲げることができる。そのため、組立式個室１を組み立てる際に、左右側壁上部１０ａ、１１ａが左右側壁下部１０ｂ、１１ｂと対向するように折り曲げられ、本体下部がコの字状に折り曲げられて床面に設置された状態から、左右側壁上部１０ａ、１１ａを横折り目２２により別々に起立させることができる。したがって、組立作業を容易に行うことができる。
【００５２】
また、上部材３の連結部１６は、天板部１５の後端に折り目４０を介して連接されているため、連結部１６を後壁上部１２ａと連結することで、後壁上部１２ａを後壁下部１２ｂに沿うように保持できる。
【００５３】
また、連結部１６は、天板部１５の後端に折り目４０を介して連接されているため、組立時に、天板部１５を左右側壁上部１０ａ、１１ａの上端間に架設することで、連結部１６を後壁下部１２ｂに沿って配置でき、連結部１６を後壁１２に連結しやすい。したがって、連結部１６と天板部１５とが別々の部材で構成されている場合に比べて、組立作業を容易に行うことができる。
【００５４】
また、連結部１６によって左右側壁上部１０ａ、１１ａの後端間が覆われるため、後壁１２の上側に縦切欠き３０を設けても、組立式個室１の後面を塞ぐことができる。後壁１２の上側に縦切欠き３０を設けることで、本体部材２の重量が軽くなるため、組立作業を容易に行うことができる。
【００５５】
また、上部材３は１枚のダンボール板を折り曲げることで形成されているため、上部材３を作製しやすい。
【００５６】
また、本体上部（１０ａ、１１ａ、１２ａ）と本体下部（１０ｂ、１１ｂ、１２ｂ）の高さ寸法が略同じであるため、本体部材２は、高さ寸法において略半分に折り畳むことができ、本体部材２をよりコンパクトに折り畳んで収納することができる。
【００５７】
＜第２実施形態＞
次に、本発明の第２実施形態について説明する。但し、前記第１実施形態と同様の構成を有するものについては、同じ符号を用いて適宜その説明を省略する。
【００５８】
図１１に示すように、本実施形態の組立式個室では、本体部材１０２の後壁上部１１２ａは、左右側壁上部１１０ａ、１１１ａの後端間を覆っており、本体部材１０２には、第１実施形態の縦切欠き３０と横切込み３１に代えて、２本の縦切込み１３０が形成されている。２本の縦切込み１３０は、左側壁上部１１０ａと後壁上部１１２ａとの境界と、右側壁上部１１１ａと後壁上部１１２ａとの境界に形成されている。縦切込み１３０は、横折り目２２の高さまで延びている。そのため、本実施形態では、左右側壁１１０、１１１と後壁１１２との境界となる縦折り目１２０は、横折り目２２より下側にのみ形成されている。
【００５９】
本体部材１０２に２本の縦切込み１３０が形成されていることにより、左右側壁１１０、１１１の上端に天板部１５が架設されていない状態において、左右側壁上部１１０ａ、１１１ａは別々に起立可能となっている。
【００６０】
また、本実施形態では、後壁上部１１２ａと後壁下部１１２ｂとは、横折り目１２２を介して連接されている。横折り目１２２は、収納状態に折り畳む際に使用されるものであって、組立状態では使用されない。
【００６１】
後壁１１２の左右両端部には、それぞれ、横折り目１２２を挟んで上下に並んだ２つの連結孔１３２が形成されている。また、右側壁１１１の後端部には、横折り目２２を挟んで上下に並んだ２つの連結孔１３２が形成されている。図示は省略するが、左側壁１１０は、右側壁１１１の２つの連結孔１３２と左右対称な位置に、２つの連結孔１３２が形成されている。
【００６２】
また、本実施形態の上部材１０３は、第１実施形態の連結部１６に代えて、２本の連結部１１６を有する。２本の連結部１１６は、天板部１５の後端の左右両端に折り目１４０を介して連接されている。組立状態において、上部材１０３は、折り目１４０において直角に折り曲げられており、連結部１１６は、天板部１５の後端から下方に延びている。また、連結部１１６は、組立状態において、上下方向に延びる折り目１４５に沿って直角に折り曲げられており、左右側壁１１０、１１１と後壁１１２との境界角部に沿って配置される。連結部１１６の上下方向長さは、第１実施形態の連結部１６と同様である。
【００６３】
連結部１１６は、本体部材１０２の８つの連結孔１３２と対向する位置に、連結孔１４３が形成されている。連結孔１３２、１４３に取り付けられる連結具６によって、連結部１１６と本体部材１０２とは連結される。また、連結部１１６の上下方向略中央部には、折り目１４４が形成されている。この折り目１４４は、収納状態に折り畳む際に使用されるものであって、組立状態では使用されない。
【００６４】
本実施形態の本体部材１０２を展開状態から収納状態に折り畳む手順について説明する。補強部１３に溝部２９を形成するまでは、第１実施形態と同様の手順である。その後、本体部材１０２を横折り目２２、１２２に沿って折り曲げて２つ折りにする。その後、本体部材１０２がＺ字状に折り畳まれるように、縦折り目１２０に沿って折り曲げる。
【００６５】
また、上部材１０３を展開状態から収納状態に折り畳む際には、連結部１１６が折り目１４５において折り曲げてられていない状態で、上部材１０３を、折り目１４０と折り目１４４に沿って折り曲げてＺ字状に折り畳む。
【００６６】
次に、組立式個室を収納状態から組立状態に組み立てる手順について説明する。
まず、本体下部（左側壁下部（図示省略）と後壁下部１１２ｂと右側壁下部１１１ｂ）が略コの字状をなすように、縦折り目１２０における折り曲げ角度を変えて、本体部材１０２を床面に自立させる。その後、左側壁上部１１０ａと右側壁上部１１１ａと後壁上部１１２ａを横折り目２２、１２２により別々に起立させる。
【００６７】
次に、第１実施形態と同様に、左右側壁１１０、１１１の上端のスリット２１に突出部１７のスリット４２を係合させる。その後、連結部１１６の連結孔１４３と本体部材１０２の連結孔１３２に連結具６を挿入して、連結部１１６と本体部材１０２とを連結具６によって連結する。最後に、カーテン５が取り付けられたカーテンレール４を補強部１３の溝部２９に配置する。以上により、組立式個室の組立が完了する。
【００６８】
本実施形態の組立式個室によると、第１実施形態と同様に、本体部材１０２をコンパクトに折り畳んで収納することができる。また、第１実施形態と同様に、組立時に、本体下部がコの字状に折り曲げられている状態で、左右側壁１１０、１１１を横折り目２２により別々に起立させることができるため、組立作業を容易に行うことができる。
【００６９】
また、本実施形態では、後壁上部１１２ａは、後壁下部１１２ｂの上端に横折り目１２２を介して連接され、左右側壁上部１１０ａ、１１１ａとは別々に起立可能であるため、後壁上部が左右側壁上部に縦折り目を介して連接されている場合に比べて、組立時に、左右側壁上部１１０ａ、１１１ａを横折り目２２により起立させる動作が行いやすい。第１実施形態と同様の構成を有することで得られるその他の効果については記載を省略する。
【００７０】
＜第３実施形態＞
次に、本発明の第３実施形態について説明する。但し、前記第１実施形態と同様の構成を有するものについては、同じ符号を用いて適宜その説明を省略する。
【００７１】
図１２に示すように、本実施形態の組立式個室では、本体部材２０２の後壁上部２１２ａは、左右側壁上部２１０ａ、２１１ａの後端間を覆っており、本体部材２０２には、第１実施形態の縦切欠き３０と横切込み３１に代えて、縦切込み２３０と横切込み２３１とが形成されている。縦切込み２３０は、右側壁上部２１１ａと後壁上部２１２ａとの境界に形成されており、横折り目２２の高さまで延びている。横切込み２３１は、後壁上部２１２ａと後壁下部２１２ｂとの境界に形成されており、後壁２１２の左右方向全域にわたって横方向に延びている。
そのため、本実施形態では、右側壁２１１と後壁２１２との境界となる縦折り目１２０は、横折り目２２より下側にのみ形成されている。一方、左側壁２１０と後壁２１２との境界となる縦折り目２０は、第１実施形態と同様に、本体部材２の上下方向全域にわたって形成されている。
【００７２】
本体部材２０２に縦切込み２３０と横切込み２３１が形成されていることにより、左右側壁２１０、２１１の上端に天板部１５が架設されていない状態において、左右側壁上部２１０ａ、２１１ａは別々に起立可能となっている。
【００７３】
後壁２１２の右端部には、横切込み２３１を挟んで上下に並んだ２つの連結孔２３２が形成されている。また、右側壁２１１の後端部には、横折り目２２を挟んで上下に並んだ２つの連結孔２３２が形成されている。
【００７４】
また、本実施形態の上部材２０３は、第１実施形態の連結部１６に代えて、連結部２１６を有する。連結部２１６は、第２実施形態の上部材１０３の２つの連結部１１６のうち、天板部１５の後端の右端に接続された連結部１１６と同様の構成である。連結部２１６の連結孔１４３と本体部材２０２の連結孔２３２に取り付けられる連結具６によって、連結部２１６と本体部材２０２とは連結される。
【００７５】
本実施形態の本体部材２０２を展開状態から収納状態に折り畳む手順について説明する。補強部１３に溝部２９を形成するまでは、第１実施形態と同様の手順である。その後、後壁上部２１２ａと左側壁上部２１０ａの外側の面同士が接するように、縦折り目２０に沿って折り曲げてから、左側壁上部２１０ａと左側壁下部（図示省略）の外側の面同士が、（後壁上部２１２ａを介して）対向するように、左側壁２１０を横折り目２２に沿って折り曲げる。また、右側壁上部２１１ａと右側壁下部２１１ｂの外側の面同士が接するように、右側壁２１１を横折り目２２に沿って折り曲げる。その後、本体部材２０２がＺ字状に折り畳まれるように、縦折り目２０、１２０に沿って折り曲げる。
【００７６】
また、上部材２０３を展開状態から収納状態に折り畳む際には、連結部２１６が折り目１４５において折り曲げてられていない状態で、上部材２０３を、折り目１４０と折り目１４４に沿って折り曲げてＺ字状に折り畳む。
【００７７】
次に、組立式個室を収納状態から組立状態に組み立てる手順について説明する。
まず、本体下部（左側壁下部（図示省略）と後壁下部２１２ｂと右側壁下部２１１ｂ）が略コの字状をなすように、縦折り目２０、１２０における折り曲げ角度を変えて、本体部材２０２を床面に自立させる。その後、左側壁上部２１０ａと右側壁上部２１１ａを横折り目２２により別々に起立させる。そして、後壁上部２１２ａを縦折り目２０を中心に回転させて、後壁上部２１２ａを後壁下部２１２ｂの上方に配置する。
【００７８】
次に、第１実施形態と同様に、左右側壁２１０、２１１の上端のスリット２１に突出部１７のスリット４２を係合させる。その後、連結部２１６の連結孔１４３と本体部材２０２の連結孔２３２に連結具６を挿入して、連結部２１６と本体部材２０２とを連結具６によって連結する。最後に、カーテン５が取り付けられたカーテンレール４を補強部１３の溝部２９に配置する。以上により、組立式個室の組立が完了する。
【００７９】
本実施形態の組立式個室によると、第１実施形態と同様に、本体部材２０２をコンパクトに折り畳んで収納することができる。また、第１実施形態と同様に、組立時に、本体下部がコの字状に折り曲げられている状態で、左右側壁２１０、２１１を横折り目２２により別々に起立させることができるため、組立作業を容易に行うことができる。
【００８０】
また、本実施形態では、後壁上部２１２ａは、左側壁上部２１０ａの後端に縦折り目２０を介して連接されているため、組立時に、後壁上部２１２ａを左側壁上部２１０ａに対して直角に折り曲げることで後壁上部２１２ａを後壁下部２１２ｂに沿って配置でき、組立作業を容易に行うことができる。第１実施形態と同様の構成を有することで得られるその他の効果については記載を省略する。
【００８１】
＜第４実施形態＞
次に、本発明の第４実施形態について説明する。但し、前記第１実施形態と同様の構成を有するものについては、同じ符号を用いて適宜その説明を省略する。
【００８２】
図１３に示すように、本実施形態の組立式個室では、本体部材３０２の後壁上部３１２ａは、左右側壁上部１０ａ、１１ａの後端間を覆っており、後壁３１２には、第１実施形態の縦切欠き３０と横切込み３１に代えて、縦切込み３３０と横切込み３３１とが形成されている。縦切込み３３０は、後壁上部３１２ａの左右方向中央部に形成されており、横切込み３３１は、後壁上部３１２ａと後壁下部３１２ｂとの境界に形成されており、後壁３１２の左右方向全域にわたって横方向に延びている。後壁上部３１２ａは、縦切込み３３０によって２つの矩形部３１２ａ１、３１２ａ２に分割されている。
【００８３】
本体部材３０２に縦切込み３３０と横切込み３３１が形成されていることにより、左右側壁１０、１１の上端に天板部１５が架設されていない状態において、左右側壁上部１０ａ、１１ａは別々に起立可能となっている。
【００８４】
後壁３１２には３つの連結孔３３２が形成されている。３つの連結孔３３２のうちの２つは、後壁上部３１２ａの縦切込み３３０の両側に形成されており、残りの１つは後壁下部３１２ｂに形成されている。
【００８５】
また、本実施形態の上部材３０３は、第１実施形態の連結部１６に代えて、連結部３１６を有する。連結部３１６は、その左右方向長さが、後壁３１２の左右方向長さよりも短く、天板部１５の後端の左右方向中央部に折り目３４０を介して連接されている。組立状態において、上部材３０３は、折り目３４０において直角に折り曲げられており、連結部３１６は、天板部１５の後端から下方に延びている。また、連結部３１６の上下方向長さは、第１実施形態の連結部１６と同様である。
【００８６】
連結部３１６は、本体部材３０２の３つの連結孔３３２と対向する位置に、連結孔３４３が形成されている。連結孔３３２、３４３に取り付けられる連結具６によって、連結部３１６と本体部材３０２とは連結される。また、連結部３１６の上下方向略中央部には、折り目３４４が形成されている。この折り目３４４は、収納状態に折り畳む際に使用されるものであって、組立状態では使用されない。
【００８７】
本体部材３０２および上部材３０３を展開状態から収納状態に折り畳む手順は、第１実施形態とほぼ同様である。また、組立式個室を収納状態から組立状態に組み立てる手順も、第１実施形態とほぼ同様である。
【００８８】
本実施形態の組立式個室によると、第１実施形態と同様に、本体部材３０２をコンパクトに折り畳んで収納することができる。また、第１実施形態と同様に、組立時に、本体下部がコの字状に折り曲げられている状態で、左右側壁１０、１１を横折り目２２により別々に起立させることができるため、組立作業を容易に行うことができる。
【００８９】
また、本実施形態では、後壁上部３１２ａ（矩形部３１２ａ１、３１２ａ２）は、左右側壁上部１０ａ、１１ａの後端に縦折り目２０を介して連接されているため、組立時に、矩形部３１２ａ１、３１２ａ２をそれぞれ左右側壁上部１０ａ、１１ａに対して直角に折り曲げることで後壁上部３１２ａを後壁下部３１２ｂに沿って配置でき、組立作業を容易に行うことができる。第１実施形態と同様の構成を有することで得られるその他の効果については記載を省略する。
【００９０】
なお、本実施形態では、縦切込み３３０は、後壁上部３１２ａの左右方向中央部に形成されているが、左右方向中央部より左寄りまたは右寄りに形成されていてもよい。
【００９１】
＜第５実施形態＞
次に、本発明の第５実施形態について説明する。但し、前記第１実施形態と同様の構成を有するものについては、同じ符号を用いて適宜その説明を省略する。
【００９２】
図１４に示すように、本実施形態の組立式個室では、本体部材４０２の後壁上部４１２ａは、左右側壁上部１０ａ、１１ａの後端間を覆っており、後壁４１２には、第１実施形態の縦切欠き３０と横切込み３１に代えて、２本の縦切込み４３０と２本の横切込み４３１とが形成されている。２本の縦切込み４３０は、後壁上部４１２ａの左右方向途中部に、左右に並んで形成されており、それぞれ、後壁上部４１２ａの上下方向全域にわたって上下方向に延びている。２本の横切込み４３１は、後壁上部４１２ａと後壁下部４１２ｂとの境界に形成されており、２本の縦切込み４３０の下端からそれぞれ、後壁４１２の左右両端まで横方向に延びている。
【００９３】
後壁上部４１２ａは、２本の縦切込み４３０によって３つの矩形部４１２ａ１、４１２ａ２、４１２ａ３に分割されている。矩形部（側壁延長部）４１２ａ１は、左側壁上部１０ａに縦折り目２０を介して連接されており、矩形部（側壁延長部）４１２ａ２は、右側壁上部１１ａに縦折り目２０を介して連接されており、矩形部（後壁延長部）４１２ａ３は、後壁下部４１２ｂの上端に横折り目４２２を介して連接されている。横折り目４２２は、収納状態に折り畳む際に使用されるものであって、組立状態では使用されない。
【００９４】
本体部材４０２に２本の縦切込み４３０と２本の横切込み４３１が形成されていることにより、左右側壁１０、１１の上端に天板部１５が架設されていない状態において、左右側壁上部１０ａ、１１ａは別々に起立可能となっている。
【００９５】
後壁４１２には３つの連結孔４３２が形成されている。３つの連結孔４３２のうちの２つは、矩形部４１２ａ３の左右両端付近に形成されており、残りの１つは後壁下部４１２ｂに形成されている。
【００９６】
また、本実施形態の上部材４０３は、第１実施形態の連結部１６に代えて、連結部４１６を有する。連結部４１６には、後壁４１２の３つの連結孔４３２と対向する位置に、連結孔４３３が形成されている。連結部４１６は、連結孔４４３の数と位置が、第１実施形態の連結部１６の連結孔４３と異なるものの、その他の構成は第１実施形態の連結部１６と同様である。連結部４１６の連結孔４４３と後壁４１２の連結孔４３２に取り付けられる連結具６によって、連結部４１６と本体部材４０２とは連結される。
【００９７】
本体部材４０２を展開状態から収納状態に折り畳む手順は、第１実施形態とほぼ同様であって、第１実施形態と異なる点は、本体部材４０２をＺ字状に折り畳む前に、矩形部４１２ａ３を横折り目４２２で折り曲げることである。上部材４０３を展開状態から収納状態に折り畳む手順は第１実施形態と同様である。
【００９８】
組立式個室を収納状態から組立状態に組み立てる手順は、第１実施形態とほぼ同様である。第１実施形態と異なる点は、本体部材４０２の横折り目２２、４２２より下側の部分をコの字状にして床面に自立させた状態で、矩形部４１２ａ３を横折り目４２２により起立させてから、後壁４１２と連結部４１６とを連結具６によって連結する点である。
【００９９】
本実施形態の組立式個室によると、第１実施形態と同様に、本体部材４０２をコンパクトに折り畳んで収納することができる。また、第１実施形態と同様に、組立時に、本体下部がコの字状に折り曲げられている状態で、左右側壁１０、１１を横折り目２２により別々に起立させることができるため、組立作業を容易に行うことができる。
【０１００】
また、本実施形態では、後壁上部４１２ａは、左右側壁上部１０ａ、１１ａの後端に縦折り目２０を介して連接された矩形部（側壁延長部）４１２ａ１、４１２ａ２と、後壁下部４１２ｂの上端に横折り目４２２を介して連接された矩形部（後壁延長部）４１２ａ３とからなるため、後壁上部が側壁延長部だけで形成されている場合に比べて、側壁延長部（４１２ａ１、４１２ａ２）の面積と重量を低減できる。そのため、組立時に、左右側壁上部１０ａ、１１ａを横折り目２２により起立させる動作が行いやすい。第１実施形態と同様の構成を有することで得られるその他の効果については記載を省略する。
【０１０１】
なお、本実施形態では、連結孔４３２は、矩形部４１２ａ１、４１２ａ２に形成されていないが、矩形部４１２ａ１、４１２ａ２にも形成されていてもよい。また、矩形部４１２ａ３に形成される連結孔４３２の数は１つであってもよい。
【０１０２】
＜第６実施形態＞
次に、本発明の第６実施形態について説明する。但し、前記第１実施形態と同様の構成を有するものについては、同じ符号を用いて適宜その説明を省略する。
【０１０３】
図１５に示すように、本実施形態の本体部材５０２には、第１実施形態の縦切欠き３０と横切込み３１に代えて、縦切欠き５３０が形成されている。縦切欠き５３０は、後壁５１２の横折り目２２より上側の部分を全て切り欠いている。
そのため、本実施形態では、左右側壁５１０、５１１と後壁５１２との境界となる縦折り目１２０は、横折り目２２より下側にのみ形成されている。
【０１０４】
本体部材５０２に縦切欠き５３０が形成されていることにより、左右側壁５１０、５１１の上端に天板部１５が架設されていない状態において、左右側壁上部５１０ａ、５１１ａは別々に起立可能となっている。
【０１０５】
右側壁５１１の後端部には、横折り目２２を挟んで上下に並んだ２つの連結孔５３２が形成されている。左側壁５１０は、右側壁５１１の２つの連結孔５３２と左右対称な位置に、２つの連結孔５３２が形成されている。
【０１０６】
また、本実施形態の上部材５０３は、第１実施形態の連結部１６に代えて、連結部（後板部）５１６を有する。連結部５１６は、天板部１５の後端に折り目４０を介して連接されている。組立状態において、上部材５０３は、折り目４０において直角に折り曲げられており、連結部５１６は、天板部１５の後端から下方に延びている。また、展開状態における連結部５１６の幅は、後壁５１２の幅よりも大きく、左右側壁上部５１０ａ、５１１ａの後端間を覆っている。組立状態において、連結部５１６の左右両端部は、上下方向に延びる折り目５４５で直角に折り曲げられており、左右側壁５１０、５１１と後壁５１２との境界角部に沿って配置される。連結部５１６の上下方向長さは、第１実施形態の連結部１６と同様である。
【０１０７】
連結部５１６は、左右側壁５１０、５１１の合計４つの連結孔５３２と対向する位置に、連結孔５４３が形成されている。連結孔５３２、５４３に取り付けられる連結具６によって、連結部５１６と本体部材５０２とは連結される。また、連結部５１６の上下方向略中央部には、折り目５４４が形成されている。この折り目５４４は、収納状態に折り畳む際に使用されるものであって、組立状態では使用されない。
【０１０８】
本体部材５０２を展開状態から収納状態に折り畳む手順は、第１実施形態とほぼ同様であって、第１実施形態と異なる点は、矩形部１２ａ１、１２ａ２を縦折り目２０で折り曲げる工程が不要である点である。また、上部材５０３を展開状態から収納状態に折り畳む際には、連結部５１６を折り目５４５に沿って折り曲げてから、上部材５０３を折り目４０と折り目５４４に沿って折り曲げてＺ字状に折り畳む。
【０１０９】
組立式個室を収納状態から組立状態に組み立てる手順は、第１実施形態とほぼ同様である。第１実施形態と異なる主な点は、矩形部１２ａ１、１２ａ２を後壁下部の上方に配置する工程が不要である点と、連結部５１６を折り目５４５で折り曲げる工程が必要な点である。
【０１１０】
本実施形態の組立式個室によると、第１実施形態と同様に、本体部材５０２をコンパクトに折り畳んで収納することができる。また、第１実施形態と同様に、組立時に、本体下部がコの字状に折り曲げられている状態で、左右側壁５１０、５１１を横折り目２２により別々に起立させることができるため、組立作業を容易に行うことができる。第１実施形態と同様の構成を有することで得られるその他の効果については記載を省略する。
【０１１１】
以上、本発明の好適な実施の形態について説明したが、本発明は上述の第１〜第６実施形態に限られるものではなく、特許請求の範囲に記載した限りにおいて様々な変更が可能である。
【０１１２】
上記第１〜第６実施形態では、組立時に、左右側壁上部を両方とも起立させてから、左右側壁に天板部を架設しているが、左右側壁上部の一方（例えば左側壁上部）を起立させてから、左側壁のスリット２１に天板部１５のスリット４２を係合させて、その後、右側壁上部を起立させて、右側壁のスリット２１に天板部１５のスリット４２を係合させてもよい。
【０１１３】
上記第１〜第６実施形態では、上部材が、左右側壁上部の上端間に架設する天板部と、本体部材に連結された連結部とからなる例について述べたが、本体部材に連結されなくともよく、左右側壁上部の上端間に架設する天板部と、該天板部の後端に折り目を介して連接され、左右側壁上部の後端間を覆う後板部とから形成されていてもよい。
【０１１４】
連結部と本体部材とを連結する連結具６が取り付けられる連結孔の位置と数は、上記第１〜第６実施形態の位置に限定されるものではない。上記第１〜第６実施形態では、連結孔は、横折り目２２より上側と下側に形成されているが、横折り目２２より上側だけに形成されていてもよく、横折り目２２より下側だけに形成されていてもよい。
【０１１５】
上記第１〜第６実施形態では、組立状態において、上部材の連結部の下端の高さは、横折り目２２より下方に位置するが、横折り目２２より上方に位置していてもよい。
【０１１６】
第２〜第４実施形態では、上部材の連結部は、本体部材の後壁の左右方向の一部分のみを覆っているが、本体部材の後壁の左右方向全域を覆うように形成されていてもよい。
【０１１７】
上記第１〜第６実施形態では、上部材は１枚のダンボール板で構成されており、連結部が天板部と一体化されているが、連結部と天板部とが別体の部材で構成されていてもよい。
【０１１８】
また、図１６に示すように、上部材は、本体部材に連結される連結部を有していなくてもよい。図１６の本体部材６０２は、第４実施形態の縦切込み３３０および横切込み３３１と同様の縦切込み６３０および横切込み６３１を有している。図１７の上部材６０３は、天板部のみで構成されている。上部材６０３は、その前端の左右両端に突出部１７を有すると共に、後端の左右両端にも突出部１７を有する。また、本体部材６０２の左右側壁６１０、６１１の上端には、スリット２１が前後に並んで２つずつ形成されている。上部材６０３の４つの突出部１７のスリット４２と、左右側壁６１０、６１１の合計４つのスリット２１とを係合させることで、上部材（天板部）６０３は左右側壁６１０、６１１に取り付けられる。
【０１１９】
左右側壁に天板部が架設されていない状態で、左右側壁を横折り目２２により別々に起立可能とするための構成は、上記第１〜第６実施形態に限定されない。
【０１２０】
上記第１〜第６実施形態の組立式個室は、本体部材の前方の開口を、カーテンによって開閉するようになっているが、カーテンレールの代わりに扉を取り付けてもよい。この場合、補強部１３は設けられていなくてもよい。
【符号の説明】
【０１２１】
１    組立式個室
２、１０２、２０２、３０２、４０２、５０２、６０２    本体部材
３、１０３、２０３、３０３、４０３、５０３、６０３    上部材
６    連結具
１０、１１０、２１０、５１０、６１０    左側壁
１０ａ、１１０ａ、２１０ａ、５１０ａ    左側壁上部
１０ｂ    左側壁下部
１１、１１０、２１１、５１１、６１１      右側壁
１１ａ、１１０ａ、２１１ａ、５１１ａ    右側壁上部
１１ｂ、１１１ｂ、２１１ｂ、５１１ｂ    右側壁下部
１２、１１２、２１２、３１２、４１２、５１２、６１２    後壁
１２ａ、１１２ａ、２１２ａ、３１２ａ、４１２ａ    後壁上部
１２ｂ、１１２ｂ、２１２ｂ、３１２ｂ、４１２ｂ    後壁下部
１３    補強部
１５    天板部
１６、１１６、２１６、３１６、４１６、５１６    連結部
２０、１２０    縦折り目
２１    スリット
２２、１２２    横折り目
３０、５３０    縦切欠き
３１、２３１、３３１、４３１、６３１    横切込み
３２、１３２、２３２、３３２、４３２、５３２    連結孔
４２    スリット
４３、１４３、３４３、４４３、５４３    連結孔
１３０、２３０、３３０、４３０、６３０  縦切込み
【図１】
2014125826.tif 000003
【図２】
2014125826.tif 000004
【図３】
2014125826.tif 000005
【図４】
2014125826.tif 000006
【図５】
2014125826.tif 000007
【図６】
2014125826.tif 000008
【図７】
2014125826.tif 000009
【図８】
2014125826.tif 000010
【図９】
2014125826.tif 000011
【図１０】
2014125826.tif 000012
【図１１】
2014125826.tif 000013
【図１２】
2014125826.tif 000014
【図１３】
2014125826.tif 000015
【図１４】
2014125826.tif 000016
【図１５】
2014125826.tif 000017
【図１６】
2014125826.tif 000018
【図１７】
2014125826.tif 000019
【図１８】
2014125826.tif 000020